(57)【要約】【課題】遠隔地に設置しているランドリー機器を管理できるランドリーシステムを提供する。【解決手段】少なくとも１台のランドリー機器１ａと、インターネット回線１０を介してランドリー機器１ａと接続される管理装置１１からなるランドリーシステムであって、ランドリー機器１ａの稼動状態を制御する第１制御基板２ａと、管理装置１１からの信号に応じて第１制御基板２ａへの電力供給を強制的に切断する電力供給切断手段を備える。【選択図】図１
2018000222.tif 000002
【特許請求の範囲】
【請求項１】
少なくとも１台のランドリー機器と、通信回線を介して前記ランドリー機器と接続される管理装置からなるランドリーシステムであって、
前記ランドリー機器の稼動状態を制御する制御手段と、前記管理装置からの信号に応じて前記制御手段への電力供給を強制的に切断する電力供給切断手段を備えるランドリーシステム。
【請求項２】
前記電力供給切断手段によって前記ランドリー機器の前記制御手段への電力供給が切断された後に、前記ランドリー機器の前記制御手段に再度電力を供給する電力供給手段を備える請求項１記載のランドリーシステム。
【請求項３】
前記電力供給切断手段および前記電力供給手段は、前記制御手段とは別の基板に設けられる請求項２記載のランドリーシステム。
【請求項４】
前記電力供給切断手段および前記電力供給手段は、信号ポートと電源ポートを備えた一体型であり、前記制御手段と電源の間に設けられる請求項３記載のランドリーシステム。
【請求項５】
前記電力供給切断手段および前記電力供給手段は、信号ポートと電源ポートと通信ポートを備えた一体型であり、前記制御手段と電源の間に設けられる請求項３又は４記載のランドリーシステム。
【発明の詳細な説明】
【技術分野】
【０００１】
本発明は、複数台のランドリー機器を管理する管理装置を含んだランドリーシステムに関する。
【背景技術】
【０００２】
特許文献１には、異常が発生したランドリー機器に対して、ホストが応急運転プログラムを送信する技術が記載されている。具体的には、ランドリー機器に異常が発生すると、ランドリー機器制御部はエラーコードをサーバ、インターネットを介してホストに送信する。ホストは、送られてきたエラーコードとホスト内のメインテナンス情報とを照合して故障解析プログラムを選択し、ランドリー機器に返信する。ランドリー機器のランドリー機器制御部は、故障解析プログラムに基づいて、テスト運転を実行する。ホストは、そのテスト結果を受け取ると故障解析を行い、その解析結果に応じた応急運転プログラムをランドリー機器に送信する。
【先行技術文献】
【特許文献】
【０００３】
【特許文献１】特開２００２−０８５８８８号公報
【発明の概要】
【発明が解決しようとする課題】
【０００４】
ところで、従来技術のように、ランドリー機器の異常に対して、応急運転プログラムなどで運転できる場合はよいが、別の問題で動かない場合がある。コインランドリーのように、複数の店舗を管理している状況であって、このような場合は、管理者が店舗まで行き、確認する必要がある。また、どんなに制御可能となっている機械であっても、修正プログラムを適用しても、正常な状態に戻らないことがある。この場合もまた、管理者が、わざわざ店舗まで出向く必要がある。
【０００５】
本発明の目的は、遠隔地に設置しているランドリー機器を管理できるランドリーシステムを提供することである。
【課題を解決するための手段】
【０００６】
前記課題を解決するために、本発明の一態様は、少なくとも１台のランドリー機器と、通信回線を介してランドリー機器と接続される管理装置からなるランドリーシステムであって、ランドリー機器の稼動状態を制御する制御手段と、管理装置からの信号に応じて制御手段への電力供給を強制的に切断する電力供給切断手段を備えることを特徴とするランドリーシステムを提供する。
【０００７】
本発明の一態様では、電力供給切断手段によってランドリー機器の制御手段への電力供給が切断された後に、ランドリー機器の制御手段に再度電力を供給する電力供給手段を備えることが好ましい。
【０００８】
本発明の一態様では、電力供給切断手段および電力供給手段は、制御手段とは別の基板に設けられることが好ましい。
【０００９】
本発明の一態様では、電力供給切断手段および電力供給手段は、信号ポートと電源ポートを備えた一体型であり、制御手段と電源の間に設けられることが好ましい。
【００１０】
本発明の一態様では、電力供給切断手段および電力供給手段は、信号ポートと電源ポートと通信ポートを備えた一体型であり、制御手段と電源の間に設けられることが好ましい。
【発明の効果】
【００１１】
本発明によれば、応急運転プログラムや修正プログラムを適用しても、正常な状態に戻らない場合に、迅速にランドリー機器を正常な状態に戻すことができる。
【図面の簡単な説明】
【００１２】
【図１】図１は、本発明の第１実施形態に係るランドリーシステムの全体構成図である。
【図２】図２は、本発明の第１実施形態に係るランドリーシステムでの第１フロー処理図である。
【図３】図３は、本発明の第１実施形態に係るランドリーシステムでの第２フロー処理図である。
【図４】図４は、本発明の第２実施形態に係るランドリーシステムの全体構成図である。
【図５】図５は、本発明の第３実施形態に係るランドリーシステムの全体構成図である。
【発明を実施するための形態】
【００１３】
本発明の実施形態を図面を参照しつつ説明する。
本実施形態において、ランドリー機器とは、洗濯機と乾燥機を示している。ランドリー機器における異常とは、ランドリー機器の制御手段によって制御されている給水や水槽の回転、水位、乾燥の温度、時間などすべてのパラメーターに関する異常や、メインコントローラが制御信号を発信しているときに、実際に動いている信号の入力がない場合などである。また、ドアセンサの異常などによりドアが開かない場合や、基板とインバータの間の通信エラーによる異常がある。特に、制御信号を送っているときに、実際に回転センサーからの入力がない場合や、一度送ればよい制御信号を送り続けループしている場合などは、制御手段になんらかの異常があり、制御手段自身によって正常状態に戻ることができないことがある。これらの状態を含めて異常とする。また、どんなコンピュータであっても、フリーズやプログラムのバグにより、稼動が停止状態になることがある。このような状態も含めて異常とする。
【００１４】
（構成）
図１は、本発明の第１実施形態に係るランドリーシステムの全体構成図である。
図１に示すように、ランドリーシステムは、主に複数台のランドリー機器１ａ，１ｂと、これらの稼動状態などを把握するためのメインコントローラ５と、インターネット回線１０介してメインコントローラ５と接続される管理装置１１とを備えている。メインコントローラ５は、第１ランドリー機器１ａ、第２ランドリー機器１ｂの稼動状態などすべての情報を管理装置１１に送信し、管理装置１１からの信号を受信し、第１ランドリー機器１ａ、第２ランドリー機器１ｂを制御している。Ｗｅｂカメラ７で撮像された映像は、ルータ６とインターネット回線１０を介して、管理装置１１に送られる。なお、ｗｅｂカメラ自体に記録装置を設け、一時的に記録させるようにしてもよい。
【００１５】
メインコントローラ５は、電源４から電力が供給されて稼動する。電源４は、メインコントローラ５と第１ランドリー機器１ａの間に設けられた第１強制終了再起動基板３ａを通して、第１ランドリー機器１ａの第１制御基板２ａに電力を供給している。同様に、電源４は、メインコントローラ５と第２ランドリー機器１ｂの間に設けられた第２強制終了再起動基板３ｂを通して、第２ランドリー機器１ｂの第２制御基板２ｂに電力を供給している。
【００１６】
メインコントローラ５は、図示していない両替機やカード読み取り装置なども管理する。
メインコントローラ５は、第１ランドリー機器１ａ、第２ランドリー機器１ｂの給水や水槽の回転、水位、乾燥の温度、時間などの情報を取得し、取得した情報をルータ６、インターネット回線１０を介して管理装置１１へ送信する。メインコントローラ５は、第１ランドリー機器１ａの第１制御基板２ａや第２ランドリー機器１ｂの第２制御基板２ｂからの異常信号を受信したときに、それぞれのランドリー機器１ａ，１ｂに対して異常処理への対応を行わせる異常処理プログラムを有している。メインコントローラ５は、異常信号の種類または、異常信号の分析結果に応じて、異常処理プログラムを呼び出し、ランドリー機器に送信することで、処理対応する。
【００１７】
遠隔地の管理装置１１は、例えば、各地に設置されているコインランドリーの複数台のランドリー機器の状態を管理・監視している。ランドリー機器から異常信号の通知があった場合には、管理装置１１が自動的に、発生した異常を分析し、適切な運転プログラムを当該ランドリー機器に発信する。管理装置１１は、人工知能などにより、各店舗の多くのランドリー機器の異常発生状況についての情報を蓄積し、分析している。このため、日々、起こっている異常に対して適切な運転プログラムを作成している。
【００１８】
また、管理装置１１は、取得した情報からオーナーやお客様へ開示する情報を整理し、インターネット回線１０を介し、開示する処理を行う。例えば、オーナーへは、オーナーが所有する店舗のランドリー機器の稼働状況の他、各ランドリー機器の稼動の回数、稼動履歴、両替機やカード読み取り装置によって処理された情報などを、プログラムによって整理し、開示する。お客様へは、お客様が利用したい店舗のランドリー機器の稼働状況、終了予想時間、混雑具合、料金、タイムサービス情報などを開示する。
【００１９】
オーナーは、オーナー自身が所有するオーナーＰＣ／携帯端末１２をインターネット回線１０に接続し、管理装置１１が開示するランドリー機器の稼働状況、各ランドリー機器の稼動の回数、稼動履歴、両替機やカード読み取り装置によって処理された情報などを見ることができる。
【００２０】
お客様は、お客様自身が所有するお客様ＰＣ／携帯端末１３をインターネット回線１０に接続し、管理装置１１が開示するお客様が利用したい店舗のランドリー機器の稼働状況、終了予想時間、混雑具合、料金、タイムサービス情報などを見ることができる。
【００２１】
ここで、ＰＣ／携帯端末１２，１３とは、インターネットに接続可能なパーソナルコンピュータや携帯電話、スマートフォン、タブレットなどを示す。
【００２２】
第１強制終了再起動基板３ａは、第１右電源ポート４ａＲと第１左電源ポート４ａＬを備え、電源４からの電力の供給を第１右電源ポート４ａＲを介して受け、第１左電源ポート４ａＬを介して第１制御基板２ａに電力を供給する。また、第１強制終了再起動基板３ａは、第１右信号ポート２ｃＲと第１左信号ポート２ｃＬを備え、第１右信号ポート２ｃＲを介してメインコントローラ５からの信号を受信したり、第１左信号ポート２ｃＬを介して第１ランドリー機器１ａの稼動状況などを第１制御基板２ａから受信し、第１右信号ポート２ｃＲを介してメインコントローラ５へ送信したりする。従って、第１強制終了再起動基板３ａは、第１ランドリー機器１ａの第１制御基板２ａへ電力を供給しつつ、第１制御基板２ａと信号の送受信を行っている。
【００２３】
第１強制終了再起動基板３ａは、管理装置１１からの信号に応じて第１制御基板２ａへの電力供給を強制的に切断する電力供給切断手段の機能と、第１ランドリー機器１ａの第１制御基板２ａに再度電力を供給する電力供給手段の機能を持ち合わせている。第１強制終了再起動基板３ａは、メインコントローラ５を介して管理装置１１からの電力供給切断信号を受け取ると、第１制御基板２ａへの電力供給を強制的に切断する。その後一定時間経った後、または、メインコントローラ５を介して管理装置１１からの電力供給信号を受け取ると、第１制御基板２ａへの電力供給を行う。
【００２４】
第２強制終了再起動基板３ｂは、第２右電源ポート４ｂＲと第２左電源ポート４ｂＬを備え、電源４からの電力の供給を第２右電源ポート４ｂＲを介して受け、第２左電源ポート４ｂＬを介して第２制御基板２ｂに電力を供給する。また、第２強制終了再起動基板３ｂは、第２右信号ポート２ｄＲと第２左信号ポート２ｄＬを備え、第２右信号ポート２ｄＲを介してメインコントローラ５からの信号を受信したり、第２左信号ポート２ｄＬを介して第２ランドリー機器１ｂの稼動状況などを第２制御基板２ｂから受信し、第２右信号ポート２ｄＲを介してメインコントローラ５へ送信したりする。従って、第２強制終了再起動基板３ｂは、第２ランドリー機器１ｂの第２制御基板２ｂへ電力を供給しつつ、第２制御基板２ｂと信号の送受信を行っている。
【００２５】
第２強制終了再起動基板３ｂは、管理装置１１からの信号に応じて第２制御基板２ｂへの電力供給を強制的に切断する電力供給切断手段の機能と、第２ランドリー機器１ｂの第２制御基板２ｂに再度電力を供給する電力供給手段の機能を持ち合わせている。第２強制終了再起動基板３ｂは、メインコントローラ５を介して管理装置１１からの電力供給切断信号を受け取ると、第２制御基板２ｂへの電力供給を強制的に切断する。その後一定時間経った後、または、メインコントローラ５を介して管理装置１１からの電力供給信号を受け取ると、第２制御基板２ｂへの電力供給を行う。
【００２６】
上記したように第１実施形態に係るランドリーシステムでは、管理装置１１からの信号に応じて第１制御基板２ａへの電力供給を強制的に切断する電力供給切断手段の機能と、第１ランドリー機器１ａの第１制御基板２ａに再度電力を供給する電力供給手段の機能を有する第１強制終了再起動基板３ａを、第１右信号ポート２ｃＲと第１左信号ポート２ｃＬと第１右電源ポート４ａＲと第１左電源ポート４ａＬとを備えた一体型とし、第１制御基板２ａと電源４の間に設けられ、かつ第１制御基板２ａとは別の基板とすることで、通常のランドリーシステムに対して後付けで設置できる。同様に、管理装置１１からの信号に応じて第２制御基板２ｂへの電力供給を強制的に切断する電力供給切断手段の機能と、第２ランドリー機器１ｂの第２制御基板２ｂに再度電力を供給する電力供給手段の機能を有する第２強制終了再起動基板３ｂを、第２右信号ポート２ｄＲと第２左信号ポート２ｄＬと第２右電源ポート４ｂＲと第２左電源ポート４ｂＬとを備えた一体型とし、第２制御基板２ｂと電源４の間に設けられ、かつ第２制御基板２ｂとは別の基板とすることで、通常のランドリーシステムに対して後付けで設置できる。
【００２７】
次に、本発明の第１実施形態に係るランドリーシステムでの第１フロー処理図に従って、処理フローを説明する。図２は、本発明の第１実施形態に係るランドリーシステムでの第１フロー処理図である。以降フロー処理図の説明において、第１ランドリー機器１ａと第２ランドリー機器１ｂを総称してランドリー機器と記載し、第１制御基板２ａと第２制御基板２ｂを総称して制御基板と記載し、第１強制終了再起動基板３ａと第２強制終了再起動基板３ｂを総称して強制終了再起動基板と記載する。
【００２８】
ランドリー機器に異常が発生すると、異常が発生したランドリー機器の制御基板が異常信号を発信し、メインコントローラ５が異常信号を受信する（ステップＳ０１）。異常信号のメインコントローラ５への発信は、制御基板が所定の異常を検知したときに発生される場合と、ランドリー機器の使用者がランドリー機器に備えられた異常スイッチを押下することで発生される場合とがある。
【００２９】
メインコントローラ５は、異常信号を受信したときにランドリー機器に対して異常処理を行わせる複数の異常処理プログラムを有しており、異常信号の種類または、異常信号の分析結果に応じて異常処理プログラムを選択し、異常が発生したランドリー機器に送信することで、処理対応する（ステップＳ０２）。この段階で処理できる異常としては、例えば、給水量が多い場合や、乾燥時の温度が低い場合などがある。
【００３０】
メインコントローラ５は、ランドリー機器がメインコントローラ５から送信されてきた異常処理プログラムにより、正常稼動したか否かを確認する（ステップＳ０３）。メインコントローラ５は、ランドリー機器が正常稼動した場合には、お客様へ正常稼動状態になったことを表示で知らせる（ステップＳ０９）。ここで表示で知らせるとしたが、音や光などで知らせるようにしてもよい。
【００３１】
メインコントローラ５は、ランドリー機器がメインコントローラ５から送られてきた異常処理プログラムを適用しても正常稼動しなかった場合、インターネット回線１０を介して、管理装置１１へ通知する（ステップＳ０４）。
【００３２】
管理装置１１は、異常処理プログラムで改善しなかった旨の通知と、異常に関する情報を受信し、当該ランドリー機器の異常を分析し、処理方法を作成すると同時に、情報を異常処理情報として蓄積する。分析の結果、過去の異常処理情報に同じ異常に対して処理したものがあれば、そのときの運転プログラムを呼び出し、当該ランドリー機器に適用するためにメインコントローラ５に送信する。該当するような運転プログラムがない場合には、新たに適切な運転プログラムを作成し、メインコントローラ５に送信する。メインコントローラ５は、当該ランドリー機器に運転プログラムを送信する（ステップＳ０５）。この段階で処理できる異常は、いくつかの要素が重なったような異常など、メインコントローラ５に備えられている異常処理プログラムで改善できなかった異常である。
【００３３】
メインコントローラ５は、管理装置１１から送られた運転プログラムにより、ランドリー機器が正常稼動した否かを確認する（ステップＳ０６）。メインコントローラ５は、当該ランドリー機器が正常稼動した場合には、お客様へ正常稼動状態になったことを表示で知らせる（ステップＳ０９）。ここで表示で知らせるとしたが、音や光などで知らせるようにしてもよい。
【００３４】
メインコントローラ５は、運転プログラムを適用しても正常稼動しなかった場合は、強制終了再起動基板を稼動させ、当該ランドリー機器の制御基板への電源供給を強制的に切断し、再起動させる（ステップＳ０７）。メインコントローラ５は、運転プログラムを適用しても正常な稼動にならなかった場合には、当該ランドリー機器の制御基板がフリーズしたか、プログラムのバグによる停止と判断し、当該ランドリー機器の制御基板を再起動させる。コンデンサーに蓄電された電気の放電が必要な場合には、一定の時間をおいた後に電力の供給を再開するようにする。
【００３５】
メインコントローラ５は、電源供給の切断後の電源供給による再起動により、当該ランドリー機器が正常稼動した否かを確認する（ステップＳ０８）。メインコントローラ５は、正常稼動した場合には、お客様へ正常稼動状態になったことを表示で知らせる（ステップＳ０９）。ここで表示で知らせるとしたが、音や光などで知らせるようにしてもよい。
【００３６】
メインコントローラ５は、電源供給の切断後の電源供給による再起動によっても、正常稼動しなかった場合は、お客様へ稼動不可能であることを表示で知らせる（ステップＳ１０）。この場合には、当該ランドリー機器を直接、管理者が見る必要があるため、当該ランドリー機器の使用を停止する。
【００３７】
次に、本発明の第１実施形態に係るランドリーシステムでの第２フロー処理図に従って、処理フローを説明する。図３は、本発明の第１実施形態に係るランドリーシステムでの第２フロー処理図である。第２フロー処理図では、メインコントローラ５に異常に対する処理プログラムを持たせず、すべて管理装置１１で処理する場合を示す。このように構成することで、メインコントローラ５の処理負担を減らすことができるため、機能を抑えたコンピュータを利用することが可能となる。
【００３８】
ランドリー機器に異常が発生すると、異常が発生したランドリーの制御基板が異常信号を管理装置１１に発信する（ステップＳ１１）。異常信号の管理装置１１への発信は、制御基板が所定の異常を検知したときに発生される場合と、ランドリー機器の使用者がランドリー機器に備えられた異常スイッチを押下することで発信される。
【００３９】
管理装置１１は、異常に関する情報を受信し、当該ランドリー機器の異常を分析し、処理方法を作成すると同時に、情報を異常処理情報として蓄積する。管理装置１１は、分析の結果、過去の異常処理情報に同じ異常に対して処理したものがあれば、そのときの運転プログラムを呼び出し、当該ランドリー機器に適用するためにメインコントローラ５に送信する。該当するような運転プログラムがない場合には、新たに適切な運転プログラムを作成し、メインコントローラ５に送信する。メインコントローラ５は、当該ランドリー機器に運転プログラムを送信する（ステップＳ１２）。
【００４０】
メインコントローラ５は、ランドリー機器が管理装置１１から送られた運転プログラムにより、正常稼動したか否かを確認する（ステップＳ１３）。メインコントローラ５は、当該ランドリー機器が正常稼動した場合には、お客様へ正常稼動状態になったことを表示で知らせる（ステップＳ１７）。ここで表示で知らせるとしたが、音や光などで知らせるようにしてもよい。
【００４１】
メインコントローラ５は、運転プログラムを適用しても正常稼動しなかった場合は、強制終了再起動基板を稼動させ、当該ランドリー機器の制御基板への電源供給を強制的に切断し、再起動させる（ステップＳ１４）。メインコントローラ５は、運転プログラムを適用しても正常な稼動にならなかった場合には、当該ランドリー機器の制御基板がフリーズしたか、プログラムのバグによる停止と判断し、当該ランドリー機器の制御基板を再起動させる。コンデンサーに蓄電された電気の放電が必要な場合には、一定の時間をおいた後に電力の供給を再開するようにする。
【００４２】
メインコントローラ５は、電源供給の切断後の電源供給による再起動により、当該ランドリー機器が正常稼動したか否かを確認する（ステップＳ１５）。メインコントローラ５は、正常稼動した場合には、お客様へ正常稼動状態になったことを表示で知らせる（ステップＳ１７）。ここで表示で知らせるとしたが、音や光などで知らせるようにしてもよい。
【００４３】
メインコントローラ５は、電源供給の切断後の電源供給による再起動によっても、正常稼動しなかった場合は、お客様へ稼動不可能であることを表示で知らせる（ステップＳ１６）。この場合には、当該ランドリー機器を直接、人が見る必要がるため、当該ランドリー機器の使用を停止する。
【００４４】
次に、本発明の第２実施形態に係るランドリーシステムの全体構成図に従って、本発明の第２実施形態を説明する。図４は、本発明の第２実施形態に係るランドリーシステムの全体構成図である。第１実施形態に係るランドリーシステムと同一の構成については同一の番号を付し、説明を省略する。
【００４５】
図４に示すように、本発明の第２実施形態に係るランドリーシステムは、主に複数台のランドリー機器１ａ，１ｂと、これらの稼動状態などを把握するためのメインコントローラ８と、インターネット回線１０介してメインコントローラ８と接続される管理装置１１とを備えている。メインコントローラ８は、第１ランドリー機器１ａ、第２ランドリー機器１ｂの稼動状態などすべての情報を管理装置１１に送信し、管理装置１１からの信号を受信し、第１ランドリー機器１ａ、第２ランドリー機器１ｂを制御している。
【００４６】
メインコントローラ８は、管理装置１１からの信号に応じて第１制御基板２ａへの電力供給を強制的に切断する電力供給切断手段の機能を備える電力供給切断部８ａと、第１ランドリー機器１ａの第１制御基板２ａに再度電力を供給する電力供給手段の機能を備える電力供給部８ｂを備える。これらの機能は、メインコントローラ８にソフト的にプログラムとして備えるようにしてもよい。
【００４７】
電力供給切断部８ａと電力供給部８ｂを併せて、上述した第１強制終了再起動基板３ａおよび第２強制終了再起動基板３ｂと同様の働きをする。上述したように第１実施形態に係るランドリーシステムでは、強制終了再起動基板を、信号ポートと電源ポートを備えた一体型とし、制御基板と電源の間に設けられ、かつ制御基板とは別の基板とすることで、通常のランドリーシステムに対して後付けで設置できるようにしたが、第２実施形態に係るランドリーシステムでは、メインコントローラにソフト的に備えることで、プログラムで対応できるようになっている。このため、新たな工事が不要となる。なお、メインコントローラ８は、第３右電源ポート４ｃＲと第３左電源ポート４ｅＬと第４左電源ポート４ｆＬを備え、電源４からの電力の供給を第３右電源ポート４ｃＲを介して受け、それぞれ第３左電源ポート４ｅＬと第４左電源ポート４ｆＬを介して、第１制御基板２ａと第２制御基板２ｂに電力を供給する。また、メインコントローラ８は、第３右信号ポート２ｇを備え、第３右信号ポート２ｇを介してルータ６からの信号を受信したり、第３左信号ポート２eＬと第４左信号ポート２ｆＬを介して、それぞれ第１制御基板２ａと第２制御基板２ｂからランドリー機器の稼働状況などを受信する。
【００４８】
次に、本発明の第３実施形態に係るランドリーシステムの全体構成図に従って、本発明の第３実施形態を説明する。図５は、本発明の第３実施形態に係るランドリーシステムの全体構成図である。第１実施形態に係るランドリーシステムと同一の構成については同一の番号を付し、説明を省略する。
【００４９】
図５に示すように、本発明の第３実施形態に係るランドリーシステムは、主に複数台のランドリー機器１ａ，１ｂと、これらの稼動状態などを把握するためのメインコントローラ９と、インターネット回線１０介してメインコントローラ５と接続される管理装置１１から構成される。メインコントローラ９は、第１ランドリー機器１ａ、第２ランドリー機器１ｂの稼動状態などすべての情報を管理装置１１に送信し、管理装置１１からの信号を受信し、第１ランドリー機器１ａ、第２ランドリー機器１ｂを制御している。
【００５０】
本発明の第３実施形態に係るランドリーシステムでは、ランドリー機器の制御基板の異常ではなく、メインコントローラ９の異常に対して対応可能な構成としている。つまり、電源４とメインコントローラ９の間に、信号ポートと電源ポートと通信ポートを備え、管理装置１１からの信号に応じて電力供給を強制的に切断する電力供給切断手段の機能と、再度電力を供給する電力供給手段の機能を持ち合わせた第３強制終了再起動基板３ｃを設けた。具体的には、第３強制終了再起動基板３ｃは、ルータ６と信号の送受信をする通信ポート６ａと、電源４から電力の供給を受ける第４右電源ポート４ｄＲと、メインコントローラ９へ電力を供給するための第４左電源ポート４ｄＬと、メインコントローラ９と信号の送受信をする第５信号ポート９ａとを備える。
【００５１】
第３強制終了再起動基板３ｃが通信ポート６ａを備えているため、第３強制終了再起動基板３ｃが直接、管理装置１１からの信号を受信し、電力の強制切断と電力供給によるメインコントローラ９の再起動を行う事が可能となる。
【００５２】
メインコントローラ９は、第１ランドリー機器１ａの第１制御基板２ａや第２ランドリー機器１ｂの第２制御基板２ｂよりも、より高機能なコンピュータである。このため、フリーズやバグによる異常停止が起こる可能性も高い。メインコントローラ９が、管理装置１１とインターネット回線１０を介して接続される第３強制終了再起動基板３ｃにより再起動を行われるため、メインコントローラ９が異常停止により制御不能となった場合にも、遠隔地の管理装置１１から制御することが可能となる。
【００５３】
以上のように本願発明を説明したが、上記の実施形態に限らず、信号ポートと電源ポートと通信ポートを備えた第３強制終了再起動基板３ｃを電源４とメインコントローラ９の間に設ける構成としたが、第３強制終了再起動基板３ｃを電源４とランドリー機器の制御基板との間に設ける構成としてもよい。このように構成することで、メインコントローラが通信不能となった場合であっても、ランドリー機器を正常に稼動させる対応を行うことができる。また、ランドリー機器だけでなく両替機やカード販売機に異常があり、プログラムによって復旧できないような場合にも、強制終了し、再起動させることで復帰させるようにすることも可能である。
【符号の説明】
【００５４】
１ａ  第１ランドリー機器
１ｂ  第２ランドリー機器
２ａ  第１制御基板
２ｂ  第２制御基板
３ａ  第１強制終了再起動基板
３ｂ  第２強制終了再起動基板
３ｃ  第３強制終了再起動基板
４  電源
５，８，９  メインコントローラ
６  ルータ
７  ｗｅｂカメラ
１０  インターネット回線
１１  管理装置
１２  オーナーＰＣ／携帯端末
１３  お客様ＰＣ／携帯端末
【図１】
2018000222.tif 000003
【図２】
2018000222.tif 000004
【図３】
2018000222.tif 000005
【図４】
2018000222.tif 000006
【図５】
2018000222.tif 000007